(57)【要約】      （修正有）【課題】家具等の重心を下げることにより、地震による転倒モーメントに抵抗できる構造を持った家具等の提供。【解決手段】家具等の下部（台輪２）の狭い空間に鋼板類９を錘にして、家具と一体性をもたせた構造にした。それにより、既製の家具の改造作業を簡素化し、かつ、安価ででき、改造後は、外観上・使用上、従来と変わらずにインテリア家具としてどこでも置くことが出来るものとした。【選択図】図２
2007130433.tif 000002
【特許請求の範囲】
【請求項１】
本考案は、家具等の重心の位置を下げることにより、地震等の振動による転倒モーメントに対し抵抗できる機能を保持した転倒防止方法である。
【請求項２】
家具等の下部（台輪）の空間部に、錘となる鋼板類を横架材で支持し、その横架材はブラケットで台輪と接合される。錘となる鋼板類は、横架材とボルトで固定して、地震等の振動で外れない構造にした。
【請求項３】
錘となる鋼板類は、手作業で取り付けられる大きさと厚さに加工し、且つ、運びやすいものとした。鋼板類の枚数は、地震力に抵抗しうる重心の位置を算出した結果で決定される。
【請求項４】
地震力に抵抗できる転倒防止構造を持った家具等である。それ故、室内のあらゆる場所に支障なく家具等を置くことが出来る。さらに、本考案を利用した家具類は、外観上、使用上、従来の家具と変わらない機能を持ったものである。
【請求項５】
家具等の下部（台輪）は、家具全体の荷重がかかる場所であり、地震時による家具の転倒には、この箇所が一番大きな力を受ける。本考案は、この転倒防止の仕組みを利用して、家具と一体化した構造にして、地震に強いものにした。
【発明の詳細な説明】
【技術分野】
【０００１】地震時に、家具等の転倒で死傷する人が、非常に多く報告されている。一方、家具は、室内のインテリア什器・備品として、デザインや配置に気を遣う人が多くいる。
このような点を考慮に入れた今回の家具等の転倒防止方法は、従来の技術で解決できなかった既製家具を極力改造しないで、地震による転倒を抑える構造にした。この結果、従来の家具と変わらない外観、使用を備えた機能を持った構造にした。
【背景技術】
【０００２】
【特許文献１】特開平８−２８０４６３（第３頁、図１）
【特許文献２】実用新案登録番号  第３０２６７０６号（第２頁、図１）
【特許文献３】実用新案出願公開  昭６２−６６５２８（第１頁、第２図＆第３図）
【特許文献４】特開平１０−９９１５２（第３頁、図１）
【発明の開示】
【発明が解決しようとする課題】
【０００３】家具等の転倒防止方法の１つとして、家具等の重心の位置を下げることにより、家具等の抵抗モーメントが、地震等の転倒モーメントより等しいか、より大きくなることを目的に家具に錘等を装備する構造が発表されている。【０００４】従来の技術の問題点として、転倒防止方法を考える上で、家具の形状を変えたりすることが多かった。これは、家具の形状を変えることにより、室内を狭くしたり、家具等の使用方法を変える必要も出てくる。さらに、家具の重心位置を下げる為に、家具の下部（台輪）の狭い空間に錘を設置することが考案されている。しかしながら、錘の形状・材質の面で、既製家具の改造作業が大がかりになったり、破損する可能性もある。【０００５】本考案は、上記の問題を解消する為に、転倒防止装置を取り付ける事による既製の家具の改造作業を簡素化し、家具等の外観、使用方法等の機能を変えない構造にした。
【課題を解決する為の手段】
【０００６】請求項１では、家具の重心の位置を下げる為に、錘を家具の下部（台輪）に設置することで、地震力による転倒作用に対する抵抗機能を持った転倒防止方法である。
【０００７】請求項２では、家具等の下部（台輪）の空間部は、高さ（市販の家具では、１０ｃｍ以下がほとんど）が低く、錘の材料や形状によって錘を設置することが出来ない場合もある。
【０００８】この手段では、単位体積重量が大きい鋼板類を錘にすると、他の材料より、体積、つまり、高さを抑えることが出来る。従って、家具の下部（台輪）の高さを変える必要はなく、家具の重心を下げることが出来る。
【０００９】請求項３では、家具の荷重状況を把握することで、地震時の転倒モーメントに対抗できる家具の重心位置を決めれば、鋼板類の重さが解る。鋼板類の形状や厚さは、手で持ちやすく、運びやすいものにする。これにより、家具の移動時の鋼板類の取り扱いが簡単になる。所定の錘の荷重は、鋼板類の枚数で管理する。
【００１０】請求項４では、家具の付加価値を高めるし、従来の家具等の転倒防止方法の問題点も解決できる。
【００１１】請求項５では、横架材の目的は、錘を支持するだけでなく、家具等の下部（台輪）と一体化した構造を形成する事になり、家具を地震荷重から守ることができる。
【発明の効果】
【００１２】従来の転倒防止の技術を大きく２つに分けると、家具等と壁・天井や床等で支持したり、接合したりして転倒を抑えたり、家具自身で地震による転倒に抵抗できるだけの錘を設置する方法が考案されている。
【００１３】錘を設置する方法の考案については、上記の背景技術で述べたものの中で、本考案に近いものが数件あった。特開平１０−９９１５２は、錘を液体容器の内容物に置き換えているが、家具等の下部（台輪）の空間で、家具の重心位置を下げる方法として、液体の材質・容積等が最適なものであるか疑問が残る。一方、液体容器が地震による振動、或いは、摩擦等で破損しないかが疑問である。当然、注入口を家具に取り付けることで見栄えの問題もある。
【００１４】他には、実用新案出願公開昭６２−６６５２８は、本考案と比較すると、錘の構造等は近いものがある。但し、実用新案は、既製の家具の改造作業が大がかりになり、使用上制限を受けるところがある。さらに、必要な錘の重量を家具の下部（台輪）の空間で確保できるか疑問が残る。
【実施例】以下、本考案にかかる転倒防止方法の実施例を図面に基づいて説明する。【００１５】既製の家具等の下部（台輪―▲２▼）は、開放型・密閉型に分かれる。当該考案は、密閉型に注目した構造である。【００１６】図１のタンス本体の下部（台輪―▲２▼）の高さは、市販させている家具では、１０ｃｍ程度で、通常はそれ以下である。【００１７】滑り板・敷板−▲３▼がある家具等は、カッターの様な工具を使用して、滑り板・敷板の一部又は全部を剥がす必要がある。
滑り板・敷板がない場合は、そのままでよい。【００１８】アングル材−▲７▼の位置は、出来るだけ家具の重心を下げる為に、ブラケット材−▲５▼を床すれすれに取り付ける。ブラケット材−▲５▼は、固定ネジ−▲４▼で台輪−▲２▼に固定する。【００１９】アングル材−▲７▼をブラケット材▲５▼に乗せて、ボルト穴−▲６▼に合わせてからボルト−▲１０▼を通す。その後、必要枚数の鋼板類を重ねて、ボルト穴−▲６▼と鋼板類のボルト穴−▲８▼に合わせてから、ボルトを通してナットを締める。鋼板類の枚数が数枚になっても締められる様に、ボルトは全部ねじ切りをする。【００２０】鋼板類を設置した後、滑り板・敷板−▲３▼がある家具等は、固定ネジで復元した滑り板・敷板を家具に取り付ける。家具を移動する場合は、鋼板類−▲９▼を取り外し、所定の位置に家具を移動し終わってから、再度、鋼板類を取り付ける。
【図面の簡単な説明】
【図１】標準的なタンス本体の断面図
【図２】タンスの下部（台輪）の空間に取り付けた本考案装置の縦断面図
【図３】タンスの下部（台輪）の空間に取り付けた本考案装置の横断面図
【符号の説明】
▲１▼  タンス本体
▲２▼  タンス下部（台輪）
▲３▼  滑り板・敷板
▲４▼  固定ネジ
▲５▼  ブラケット材
▲６▼  ボルト穴（ブラケット材及びアングル材）
▲７▼  アングル材
▲８▼  ボルト穴（鋼板類）
▲９▼  鋼板類
▲１０▼  ボルト＆ナット
【図１】
2007130433.tif 000003
【図２】
2007130433.tif 000004
【図３】
2007130433.tif 000005